(57)【要約】【課題】変形させることができる吊り下げ具を提供することを目的とする。【解決手段】物品を吊り下げるために用いられる吊り下げ具３００であって、第１の吊り下げ部３１０と、第２の吊り下げ部３２０と、を有するとともに、第１の吊り下げ部３１０および第２の吊り下げ部３２０は、変形可能より詳しくは弾性変形可能とし、第１の吊り下げ部３１０は、内側に第１の穴部３１１を有する環状体とし、第１の吊り下げ部３１０は、外側と内側の第１の穴部３１１にかけて所定に分離する第１の分離部３１２を有する。【選択図】図１６
2019198622.tif 000002
【特許請求の範囲】
【請求項１】
物品を吊り下げるために用いられる吊り下げ具であって、
変形可能とすることを特徴とする吊り下げ具。
【請求項２】
前記変形は、弾性変形とすることを特徴とする請求項１に記載の吊り下げ具。
【請求項３】
所定に分離する分離部を有することを特徴とする請求項１または請求項２に記載の吊り下げ具。
【請求項４】
物品を吊り下げるために用いられる吊り下げ具であって、
吊り下げ部を有し、前記吊り下げ部は、変形可能とするとともに、内側に穴部を有する環状体とし、更に、外側から前記内側の穴部にかけて所定に分離する分離部を有することを特徴とする吊り下げ具。
【請求項５】
前記分離部は、曲部を有することを特徴とする請求項４に記載の吊り下げ具。
【請求項６】
前記分離部は、所定の方向に延びて並行するように設けられる複数の部材間に形成されることを特徴とする請求項４または請求項５に記載の吊り下げ具。
【請求項７】
前記吊り下げ部を第１の吊り下げ部とするとともに、前記穴部を第１の穴部とし、かつ、前記分離部を第１の分離部とし、
更に、第２の吊り下げ部を有し、前記第２の吊り下げ部は、変形可能とするとともに、内側に第２の穴部を有するフック状体とし、前記第１の吊り下げ部から下方側に連続して設けられ、前記第２の吊り下げ部の終端側は、前記第１の吊り下げ部と所定に分離する第２の分離部とすることを特徴とする請求項３乃至請求項６のいずれか一項に記載の吊り下げ具。
【請求項８】
前記第１の分離部の長さ寸法は、前記第２の分離部の長さ寸法よりも長くすることを特徴とする請求項７に記載の吊り下げ具。
【請求項９】
前記第１の吊り下げ部は、環状に形成されるとともに、上方側に立ち上がる立ち上がり部と、前記立ち上がり部の終端側から連続し上方側に突出する突出部と、前記突出部の終端側から連続し下方側に立ち下がる立ち下がり部と、前記立ち下がり部の終端側から連続し内側にかつ前記立ち上がり部の始端側に向かって斜め下方側に延びるとともに、終端側が自由端となる第１の下方傾斜部と、前記第１の下方傾斜部の更に下方側において前記第１の下方傾斜部と並行するように延びて始端側が前記立ち上がり部の始端側と接続しかつ終端側が前記第１の下方傾斜部の始端側に向かって延びて自由端となる第２の下方傾斜部と、を有し、前記第１の下方傾斜部と前記第２の下方傾斜部は、前記第１の分離部を形成する複数の部材とすることを特徴とする請求項７または請求項８に記載の吊り下げ具。
【請求項１０】
前記立ち上がり部、前記突出部、前記立ち下がり部、および前記第１の下方傾斜部に囲まれた内側を前記第１の穴部とし、前記第１の穴部は、長孔状とすることを特徴とする請求項９に記載の吊り下げ具。
【請求項１１】
前記第２の吊り下げ部は、フック状に形成されるとともに、始端側を前記第１の吊り下げ部の立ち上がり部の始端側と連続し下方側に立ち下がるように延びる立ち下がり部と、前記立ち下がり部の終端側から連続し内側に向かって斜め下方側に直線状に延びる下方傾斜部と、前記下方傾斜部の終端側から連続し下方側に突出するように形成される突出部と、前記突出部の終端側から連続し上方側にかつ前記第１の吊り下げ部の第２の下方傾斜部の終端側に向かって立ち上がる立ち上がり部と、を有し、前記立ち上がり部の終端側は、自由端となり、前記第１の吊り下げ部の第２の下方傾斜部の終端側と所定に分離する前記第２の分離部とすることを特徴とする請求項９または請求項１０に記載の吊り下げ具。
【請求項１２】
前記立ち下がり部、前記下方傾斜部、前記突出部、および前記立ち上がり部に囲まれた内側の第２の穴部を長孔状とすることを特徴とする請求項１１に記載の吊り下げ具。
【請求項１３】
前記第２の吊り下げ部は、フック状に形成されるとともに、始端側を前記第１の吊り下げ部の立ち上がり部の始端側と連続し下方側に立ち下がるように延びる立ち下がり部と、前記立ち下がり部の終端側から連続し下方側に突出するように形成される突出部と、前記突出部の終端側から連続し上方側にかつ前記第１の吊り下げ部の第２の下方傾斜部の終端側に向かって立ち上がる立ち上がり部と、を有し、前記立ち上がり部の終端側は、自由端となり、前記第１の吊り下げ部の第２の下方傾斜部の終端側と所定に分離する前記第２の分離部とすることを特徴とする請求項９または請求項１０に記載の吊り下げ具。
【請求項１４】
前記立ち下がり部、前記突出部、および前記立ち上がり部に囲まれた内側の第２の穴部を長孔状とすることを特徴とする請求項１３に記載の吊り下げ具。
【請求項１５】
前記変形は、弾性変形とすることを特徴とする請求項４乃至請求項１４のいずれか一項に記載の吊り下げ具。
【請求項１６】
前記物品を洗濯バサミとし、前記洗濯バサミの吊り下げに用いることを特徴とする請求項１乃至請求項１５のいずれか一項に記載の吊り下げ具。
【請求項１７】
前記洗濯バサミは、環状部と、洗濯物を挟む挟み部と、を有し、前記環状部は、上下方向の中間部が縊れる縊れ部とするとともに、前記縊れ部を介して上下方向に形成される上部環状部と下部環状部とを有し、前記上部環状部の内側に形成される上部穴部と前記下部環状部の内側に形成される下部穴部が上下方向に連通し、
前記下部環状部は、開閉可能に形成され、前記洗濯物を挟む挟み部を有することを特徴とする請求項１６に記載の吊り下げ具。
【発明の詳細な説明】
【技術分野】
【０００１】
本発明は、吊り下げ具に関し、特に物品を吊り下げるために用いられる吊り下げ具に関する。
【背景技術】
【０００２】
従来から物品を吊り下げる吊り下げ具が広く一般に用いられている。例えば、特許文献１には、洗濯バサミ（物品）を金具でできたフック形状の吊り下げ具により吊り下げる技術が開示されている。
【先行技術文献】
【特許文献】
【０００３】
【特許文献１】実用新案登録第３１５１４０４号公報
【発明の概要】
【発明が解決しようとする課題】
【０００４】
ところで、上述した吊り下げ具においては、金具でできているため硬質であり変形させ難い。
このため、フック形状のＣ状として先端側の離間量を大きく設定し、保持体（カーテンレール）に引っ掛け易くすることとしている。
【０００５】
しかしながら、先端側の離間量が大きいと吊り下げ具が保持体から外れ易くなる等の不具合が生じることとなる。
【０００６】
一方で、フック形状の離間量を小さく設定すると保持体から外れ難くなるものの、保持体に引っ掛け難くなってしまう等ジレンマに陥ることとなる。このため、変形可能な吊り下げ具の提供が強く望まれている。
【０００７】
本願発明は上記事情に鑑みてなされたものであり、変形させることができる吊り下げ具を提供することを目的とする。
【課題を解決するための手段】
【０００８】
上記目的を達成するために、吊り下げ具に係る発明は、物品を吊り下げるために用いられる吊り下げ具であって、変形可能とすることを特徴とする。
【０００９】
本発明によれば、変形可能とすることとしたので、変形させることができる吊り下げ具を提供することができる。
【００１０】
前記変形は、弾性変形とすることとすれば、変形させた場合にあっても元の形状に戻すことができる。
【００１１】
所定に分離する分離部を有することとすることができる。
【００１２】
上記目的を達成するために、吊り下げ具に係る発明は、物品を吊り下げるために用いられる吊り下げ具であって、吊り下げ部を有するとともに、前記吊り下げ部は、変形可能とするとともに、内側に穴部を有する環状体とし、更に、外側から前記内側の穴部にかけて所定に分離する分離部を有することを特徴とする。
【００１３】
本発明によれば、吊り下げ部を有するとともに、前記吊り下げ部は、変形可能とするとともに、内側に穴部を有する環状体とし、更に、外側から前記内側の穴部にかけて所定に分離する分離部を有することとしたので、変形させることができるとともに、分離部を介して外側から吊り下げ部の穴部に所定に案内することができる吊り下げ具を提供することができる。
【００１４】
前記分離部は、曲部を有することとすることができる。
【００１５】
前記吊り下げ具を第１の吊り下げ具とするとともに、前記穴部を第１の穴部とし、かつ、前記分離部を第１の分離部とし、更に、第２の吊り下げ部を有し、前記第２の吊り下げ部は、変形可能とするとともに、内側に第２の穴部を有するフック状体とし、前記第１の吊り下げ部から下方側に連続して設けられ、前記第２の吊り下げ部の終端側は、前記第１の吊り下げ部と所定に分離する第２の分離部とすることとすれば、第２の分離部を介して第２の吊り下げ部の内側に所定に案内することができる。
【００１６】
前記第１の分離部の長さ寸法は、前記第２の分離部の長さ寸法よりも長くすることとすれば、第１の分離部から外れる際の負荷を相対的に大きく設定することができる。
【００１７】
前記第１の吊り下げ部は、環状に形成されるとともに、上方側に立ち上がる立ち上がり部と、前記立ち上がり部の終端側から連続し上方側に突出する突出部と、前記突出部の終端側から連続し下方側に立ち下がる立ち下がり部と、前記立ち下がり部の終端側から連続し内側にかつ前記立ち上がり部の始端側に向かって斜め下方側に延びるとともに、終端側が自由端となる第１の下方傾斜部と、前記第１の下方傾斜部の更に下方側において前記第１の下方傾斜部と並行するように延びて始端側が前記立ち上がり部の始端側と接続しかつ終端側が前記第１の下方傾斜部の始端側に向かって延びて自由端となる第２の下方傾斜部と、を有し、前記第１の下方傾斜部と前記第２の下方傾斜部は、前記第１の分離部を形成する複数の部材とすることとすることができる。
【００１８】
前記立ち上がり部、前記突出部、前記立ち下がり部、および前記第１の下方傾斜部に囲まれた内側を前記第１の穴部とし、前記第１の穴部は、長孔状とすることができる。
【００１９】
前記第２の吊り下げ部は、フック状に形成されるとともに、始端側を前記第１の吊り下げ部の立ち上がり部の始端側と連続し下方側に立ち下がるように延びる立ち下がり部と、前記立ち下がり部の終端側から連続し内側に向かって斜め下方側に延びる下方傾斜部と、前記下方傾斜部の終端側から連続し下方側に突出するように形成される突出部と、前記突出部の終端側から連続し上方側にかつ前記第１の吊り下げ部の第２の下方傾斜部の終端側に向かって立ち上がる立ち上がり部と、を有し、前記立ち上がり部の終端側は、自由端となり、前記第１の吊り下げ部の第２の下方傾斜部の終端側と所定に分離する前記第２の分離部とすることとすることができる。
前記立ち下がり部、前記下方傾斜部、前記突出部、および前記立ち上がり部に囲まれた内側の第２の穴部を長孔状とすることができる。
【００２０】
前記第２の吊り下げ部は、フック状に形成されるとともに、始端側を前記第１の吊り下げ部の立ち上がり部の始端側と連続し下方側に立ち下がるように延びる立ち下がり部と、前記立ち下がり部の終端側から連続し下方側に突出するように形成される突出部と、前記突出部の終端側から連続し上方側に立ち上がる立ち上がり部と、を有し、前記立ち上がり部の終端側は、前記第１の吊り下げ部の第２の下方傾斜部の終端側と近接する位置まで延びて自由端となり、前記第１の吊り下げ部の第２の下方傾斜部の終端側と所定に分離する前記第２の分離部とすることとすることができる。
【００２１】
前記立ち下がり部、前記突出部、および前記立ち上がり部に囲まれた内側の第２の穴部を長孔状とすることができる。
【００２２】
前記変形は、弾性変形とすることとすれば、変形させた場合にあっても元の形状に戻すことができる。
【００２３】
前記物品を洗濯バサミとし、吊り下げ具は、前記洗濯バサミの吊り下げに用いることとすることができる。
【００２４】
前記洗濯バサミは、環状部と、洗濯物を挟む挟み部と、を有し、前記環状部は、上下方向の中間部が縊れる縊れ部とするとともに、前記縊れ部を介して上下方向に形成される上部環状部と下部環状部とを有し、前記上部環状部の内側に形成される上部穴部と前記下部環状部の内側に形成される下部穴部が上下方向に連通し、前記下部環状部は、開閉可能に形成され、前記洗濯物を挟む挟み部を有することとすることができる。
【発明の効果】
【００２５】
本発明によれば、変形させることができる吊り下げ具を提供することができる。
【図面の簡単な説明】
【００２６】
【図１】本発明の実施形態に係る洗濯バサミの構成を示す斜視図である。
【図２】同洗濯バサミの正面図である。
【図３】同洗濯バサミの挟み部を拡大して示す正面拡大図である。
【図４】同洗濯バサミの側面図である。
【図５】同洗濯バサミの図２におけるＡ−Ａ断面図である。
【図６】同洗濯バサミの開閉動作を説明するための図で、（ａ）は、下部環状部の下部穴部に指を挿入した状態を示す正面図、（ｂ）は、挟み部を開放した状態を示す正面図、（ｃ）は、挟み部に洗濯物を挟んだ状態を示す正面図である。
【図７】２個の洗濯バサミで洗濯物を挟んだ状態を示す側面図である。
【図８】本発明の変形例に係る洗濯バサミの構成を示す図で、（ａ）は、正面図、（ｂ）は、挟み部を拡大して示す拡大正面図である。
【図９】本発明の別の変形例に係る洗濯バサミの構成を示す側面図である。
【図１０】本発明の更に別の変形例に係る洗濯バサミの構成を示す斜視図である。
【図１１】本発明の更に別の変形例に係る洗濯バサミの構成を示す正面図である。
【図１２】本発明のまた更に別の変形例に係る洗濯バサミの構成を示す正面図である。
【図１３】同洗濯バサミを吊り下げるために用いられる吊り下げ具を示す図で、（ａ）は、正面図、（ｂ）は、平面図、（ｃ）は、側面図である。
【図１４】同吊り下げ具を用いて洗濯バサミを吊り下げた状態を示す側面図である。
【図１５】他の吊り下げ具を用いて洗濯バサミを吊り下げた状態を示す側面図である。
【図１６】同洗濯バサミを吊り下げるために用いられる吊り下げ具の別の例を示す図で、（ａ）は、側面図、（ｂ）は、平面図、（ｃ）は、底面図、（ｄ）は、正面図、（ｅ）は、背面図である。
【図１７】同吊り下げ具を用いて洗濯バサミを吊り下げた状態を示す側面図である。
【図１８】同吊り下げ具を変形させた状態を示す図で、（ａ）は、変形前の状態を示す正面図、（ｂ）は、変形後の状態を示す正面図である。
【図１９】同吊り下げ具の更に別の例を示す図で、（ａ）は、側面図、（ｂ）は、平面図、（ｃ）は、底面図、（ｄ）は、正面図、（ｅ）は、背面図である。
【発明を実施するための形態】
【００２７】
[洗濯バサミの構成]
以下、本発明の実施形態について図面を参照して詳細に説明する。図１は、本発明の実施形態に係る洗濯バサミ１の構成を示す斜視図、図２は、同洗濯バサミ１の正面図、図３は、同洗濯バサミ１の挟み部５０の拡大正面図、図４は、同洗濯バサミ１の側面図、図５は、同洗濯バサミ１の図２におけるＡ−Ａ断面図である。なお、以下の説明においては、洗濯バサミ１を洗濯紐や洗濯ハンガー等に吊り下げた状態を基準として上下方向、前後方向、左右方向を定義するととともに、各方向を図２および図４に示すものとする。
【００２８】
これらの図を参照して本発明の洗濯バサミ１の概要を説明すると、洗濯バサミ１は、左右対称に形成されており、環状部１０と、洗濯物２００を挟む挟み部５０と、を有している。洗濯バサミ１は、挟み部５０に洗濯物２００を挟み込んで下方に吊り下げ干すことができる。
【００２９】
環状部１０は、輪郭形状が瓢箪型に形成されており、板状体を湾曲させて形成されている。環状部１０は、上部環状部２０と、下部環状部３０と、縊れ部４０と、を有している。
【００３０】
すなわち、環状部１０は、上下方向の中間部が縊れる縊れ部４０としており、縊れ部４０を介して上下方向に連続して上部環状部２０と下部環状部３０が形成されている（上部環状部２０の下端と下部環状部３０の上端が連続している）。上部環状部２０および下部環状部３０は、円弧状に湾曲して形成されている。
【００３１】
上部環状部２０の内側には、前後方向に貫通するように上部穴部２１が形成されており、下部環状部３０の内側には、同じく前後方向に貫通するように下部穴部３１が形成されている。上部穴部２１と下部穴部３１は、上下方向に相互に連通して連続しており、上部穴部２１と下部穴部３１の連続した形状も、瓢箪型に形成されている。下部環状部３０の下部穴部３１は、後述するように、洗濯バサミ１を開放する際に、指を挿入する挿入部として機能する。下部穴部３１は、上部穴部２１よりも穴径が大きく設定されている。
【００３２】
下部環状部３０の下端は、分離して、挟み部５０となっており、開閉可能に形成されている。すなわち、下部環状部３０の下端が分離して形成されることにより、上部環状部２０および下部環状部３０は、更に左片部２２，３２側と右片部２３，３３側に分離するように形成されている。挟み部５０は、下部環状部３０の分離した下端すなわち下部環状部３０の左片部３２と右片部３３の下端に設定されており、開閉の動作は、上部環状部２０の上端２０´（上端頂部）を支点として行われる。
【００３３】
すなわち、洗濯バサミ１の開閉動作および洗濯物２００の挟み動作は、図６に示すように、まず下部環状部３０の下部穴部３１に例えば親指と人差し指を挿入し（図６（ａ））、次いで、親指と人差し指の間隔を広げて左片部２２，２３と右片部２３，３３の間隔を広げ挟み部５０を開放しつつ洗濯物２００を開放した挟み部５０に挿入し（図６（ｂ））、続いて、指を下部穴部３１から抜いて挟み部５０を閉塞し洗濯物２００を挟むことにより行う（図６（ｃ））。なお、洗濯バサミ１の開閉動作は、縊れ部４０に指を挿入して行うこととしてもよい。
【００３４】
ここで、下部環状部３０は、上部環状部２０よりも上下方向の長さを長く設定されている。より詳しくは、数１に示す下部環状部３０の上下方向の長さＬＬ（縊れ部４０から下部環状部３０の下端までの長さ）の上部環状部２０の上下方向の長さＬＵ（縊れ部４０から上部環状部２０の上端２０´までの長さ）に対する比Ａは、１．５乃至２．５に設定されている（本実施形態にあっては、例えばＡは２．１に設定される）。
[数１]Ａ＝ＬＬ／ＬＵ
【００３５】
このように、下部環状部３０の上下方向の長さＬＬを、上部環状部２０の上下方向の長さＬＵよりも長く設定することにより、開閉動作における縊れ部４０から力点（下部穴部３１に挿入される指の位置）までの長さを長く設定することができ、下部環状部３０の下部穴部３１に指を挿入して行う開閉動作を容易に行うことができる。
【００３６】
また、下部環状部３０の上部環状部２０に対する上下方向の長さの比Ａを、１．５乃至２．５とすることにより、開閉動作を更に容易に行うことができる。なお、図からも明らかなように、下部環状部３０の中央部の幅寸法（左右方向の長さ）は、上部環状部２０の幅寸法（左右方向の長さ）よりも大きく設定されている。
【００３７】
更に、上部環状部２０および下部環状部３０は、曲率半径が相互に異なることとしている。より詳しくは、下部環状部３０の曲率半径ＲＬは、上部環状部２０の曲率半径ＲＵよりも相対的に大きく設定されており、数２に示す下部環状部３０の曲率半径ＲＬの上部環状部２０の曲率半径ＲＵに対する比Ｂは、２．０乃至４．０に設定されている（本実施形態にあっては、例えばＢは、２．５に設定される）。
[数２]Ｂ＝ＲＬ／ＲＵ
【００３８】
このように、下部環状部３０の曲率半径ＲＬを、上部環状部２０の曲率半径ＲＵよりも相対的に大きく設定することにより、下部環状部３０の開閉に要する力を相対的に小さく設定することができ、開閉動作を更に容易に行うことができる。また、下部環状部３０の曲率半径ＲＬの上部環状部２０の曲率半径ＲＵに対する比Ｂを、２．０乃至４．０とすることにより、開閉動作を更に一層容易に行うことができる。
【００３９】
更にまた、下部環状部３０は、位置Ｅを介して上部３０ａ側と下部３０ｂ側において曲率半径が相互に異なることとしている。より詳しくは、下部環状部３０は、下部３０ｂ側の曲率半径ＲＬＬを上部３０ａ側の曲率半径ＲＬＵよりも相対的に小さくすることとしており、数３に示す下部環状部３０の下部３０ｂ側の曲率半径ＲＬＬの上部３０ａ側の曲率半径ＲＬＵに対する比Ｃは、０．３乃至０．６に設定されている（本実施形態にあっては、例えばＣは０．４８に設定される）。
[数３]Ｃ＝ＲＬＬ／ＲＬＵ
【００４０】
このように、下部環状部３０は、下部３０ｂ側の曲率半径ＲＬＬを上部３０ａ側の曲率半径ＲＬＵよりも相対的に小さくすることにより、挟み部５０に狭持される洗濯物２００と挟み部５０を形成する下部環状部３０の下部３０ｂ側との交差角度が浅くなることを防止することが可能となる。すなわち、前記交差角度を大きく設定することが可能となり、これにより、開閉動作を容易としながらも挟み部５０における洗濯物２００の安定した狭持状態を確保することができる。また、下部環状部３０の下部３０ｂ側の曲率半径ＲＬＬの上部３０ａ側の曲率半径ＲＬＵに対する比Ｃは、０．３乃至０．６とすることにより、挟み部５０において洗濯物２００を安定して挟みつつ、取り外しも容易に行うことができる。
【００４１】
なお、図からも明らかなように、板状体を湾曲させて形成される上部環状部２０および下部環状部３０は、厚み寸法が奥行き方向（前後方向）の幅寸法よりも相対的に小さく設定することとしており、数４に示す厚み寸法Ｘの奥行き方向の幅寸法Ｙに対する比Ｄは、０．１乃至０．３に設定されている（本実施形態にあっては、例えばＤは０．２１に設定される）。
[数４]Ｄ＝Ｘ／Ｙ
【００４２】
ここで、上部環状部２０の外周面には、周方向に突条２４，２５が延在するように設けられている。
【００４３】
すなわち、突条２４，２５は、上部環状部２０の外周面の周方向に延びる前端側および後端側の両縁部にそれぞれ設けられている。つまり、上部環状部２０は、突条２４，２５が設けられる両縁部において厚み寸法が相対的に大きく設定され、突条２４，２５間に形成される凹条２６においては、厚み寸法が相対的に小さく設定されている。
【００４４】
一方、下部環状部３０は、厚みを一定に設定することとしており、その厚みは、上部環状部２０の突条２４，２５における厚みよりも相対的に小さく設定されている。より詳しくは、下部環状部３０の厚みは、凹条２６における厚みと等しく設定されている。
【００４５】
このように、上部環状部２０の外周面に、周方向に延在するように突条２４，２５を設けることにより、洗濯バサミ１の開閉の基部となる上部環状部２０の強度を増加させることができ、繰り返しの開閉による洗濯バサミ１の損傷を低減させることができる。
【００４６】
また、突条２４，２５は、上部環状部２０の外周面の周方向に延びる前端側および後端側の両縁部にそれぞれ設けることにより、上部環状部２０の両縁部が補強され強度を更に増加させることができる。
【００４７】
更に、下部環状部３０は、厚みを一定に設定することにより、より詳しくは、下部環状部３０の両縁部に突条を設けない構成とすることにより、下部環状部３０の開閉に要する力が無用に大きくなることを防止することができる。
【００４８】
ここで、挟み部５０をなす下部環状部３０の分離した下端には、上下方向に板状に延びる一対の挟み片５１，５２を有することとしている。一対の挟み片５１，５２は、下部環状部３０の下端に固定して設けられている（本実施形態にあっては、一対の挟み片５１，５２は下部環状部３０の下端を中心として回動しない構成となっている）。
【００４９】
すなわち、挟み部５０は、一対の挟み片５１，５２を合掌するように弾接させて閉塞することにより洗濯物２００を挟み、左辺部２２，３２と右辺部２３，３３の間隔を広げつつ
【００５０】
一対の挟み片５１，５２を開放し離間させることにより洗濯物２００を挟んだ状態を解除することができる。
【００５１】
一対の挟み片５１，５２は、下部環状部３０の下端から下方に突出する下部突出部５１ａ，５２ａと、下部環状部３０の下端から下部穴部３１に入り込むように上方に突出する上部突出部５１ｂ，５２ｂと、を有している。上部突出部５１ｂ，５２ｂの上端の高さ位置は、下部穴部３１の下部領域内に設定されている（より詳しくは、下部穴部３１を上下方向に上部領域、中間領域、下部領域の３つに区画した場合に、上部突出部５１ｂ，５２ｂの上端の高さ位置は、下部穴部３１の下部領域内に設定される）。すなわち、上部突出部５１ｂ，５２ｂの上端の高さ位置は、下部穴部３１の上下方向の中央部よりも下方の位置に設定されており、下部穴部３１の少なくとも上部領域には達しない高さ位置となっている。
【００５２】
この一対の挟み片５１，５２の両内面５１´，５２´は、上下方向および前後方向に沿って延びるように形成されている。そして、両内面５１´，５２´側にはそれぞれ凸部および凹部が形成され、合掌したときに一方の内面５１´側の凸部および凹部は、他方の内面５２´側の凹部および凸部と噛み合う構成となっている。この凸部および凹部は、三角形状の山型に形成されている。
【００５３】
このように、挟み部５０をなす下部環状部３０の分離した下端には、上下方向に板状に延びる一対の挟み片５１，５２を有することとしたので、洗濯物２００を面で挟むことができ、挟み部５０に洗濯物２００を安定して挟むことができる。
【００５４】
また、挟み部５０をなす一対の挟み片５１，５２は、下部環状部３０の下端から下方に突出する下部突出部５１ａ，５２ａと、下部環状部３０の下端から下部穴部３１に入り込むように上方に突出する上部突出部５１ｂ，５２ｂと、を有することとしたので、挟み部５０の上端および下端のいずれもが下部環状部３０の分離した下端から突出する。これにより、挟み部５０に挟み込まれた洗濯物２００が風等で靡く場合には、挟み部５０の上端および下端が洗濯物２００を食い込むように保持し挟み部５０から外れにくくすることができる。
【００５５】
更に、上部突出部５１ｂ，５２ｂの上端の高さ位置は、下部穴部３１の下部領域内に設定されることとしたので、下部穴部３１への洗濯物２００の挿入量が少ない場合にあっても、挿入した洗濯物２００を上部突出部５１ｂ，５２ｂの上端から上方に容易に突出させることができる。また、上部突出部５１ａ，５１ｂが下部穴部３１への指の挿入の障害となることも少なくすることができる。
【００５６】
更にまた、挟み部５０における一対の挟み片５１，５２の両内面５１´，５２´側にそれぞれ凸部および凹部を形成し、合掌したときに一方の内面５１´側の凸部および凹部が、他方の内面５２´側の凹部および凸部と噛み合うこととしたので、洗濯物２００を挟み部５０に更に安定して挟むことができる。
【００５７】
なお、挟み部５０の上部突出部５１ｂ、５２ｂは、合掌したときに下部環状部３０の下端から下部環状部３０の上端すなわち終端まで平行となっている。
【００５８】
一方、挟み部５０の下部突出部５１ａ，５２ａにおける下端側すなわち終端側は、合掌したときに一対の挟み片５１，５２の間隔を下方に行くにしたがって漸次大きくなるように形成されている。このように、挟み部５０の下部突出部５１ａ，５２ａにおける下端側が、合掌したときに一対の挟み部５０の間隔を下方に行くにしたがって漸次大きくなるように形成されることにより、下部突出部５１ａ，５２ａの下端から洗濯物２００を挿入し易くなる。
【００５９】
ここで、上部環状部２０は、該上部環状部２０の上部より詳しくは上端２０´（上端頂部）に上方に突出する第１の突出部２７を有している。より詳しくは、第１の突出部２７は、上部環状部２０の外周面における一方の突条２５の上端の頂部に設けられており、この第１の突出部２７は、前後方向に貫通する孔２８を有している。
【００６０】
また、上部環状部２０は、該上部環状部２０の上部より詳しくは外周面における他方の突条２４の上端の頂部に、第１の突出部２７と対向する位置に第２の突出部２９を設けている。この第２の突出部２９は、上端２９´の高さを、第１の突出部２７の孔２８の上端２８´の高さより低く下端２８´´の高さよりも高い位置に設定されている。
【００６１】
第２の突出部２９は、上面に前後に貫通する凹溝２９ａ´を有し、凹溝２９ａ´は、正面から見て円弧状に形成されている。
【００６２】
このように、上部環状部２０の上端２０´に上方に突出する第１の突出部２７を有し、第１の突出部２７は、前後方向に貫通する孔２８を有することにより、孔２８に紐や後述する吊り下げ具１００等を挿入して洗濯バサミ１を容易に吊り下げることができる。
【００６３】
また、第１の突出部２７は、上部環状部２０の外周面における一方の突条２５の上端の頂部に設けられることとしたので、第１の突出部２７の設置位置を前端側または後端側のいずれかに偏らせることができる。
【００６４】
すなわち、図７に示すように、例えば２個の洗濯バサミ１を、洗濯物２００を介して対称に配置してそれぞれの第１の突出部２７が外側になるように配置し、２個の洗濯バサミ１がそれぞれ外側にハの字状に広がるように容易に傾斜させて洗濯物２００を挟むことができる。これにより、洗濯物２００が外側に引っ張られるように保持され、洗濯物２００に皺等が形成され難くすることができる。
【００６５】
更に、上部環状部２０の外周面における他方の突条２４の上端の頂部に、第１の突出部２７と対向するように第２の突出部２９を設けることとしたので、孔２８に紐を通すとともに、孔２８に通した紐を更に第２の突出部２９の上面に渡すことができる。これにより、通した紐に対し第１の突出部２７と第２の突出部２９のいずれにも摩擦力を発生させることが可能となるので、洗濯物２００が風等で靡く場合にあっても洗濯バサミ１が紐に沿って移動することを防止することが可能となる。
【００６６】
また更に、第２の突出部２９は、上端２９´の高さを、第１の突出部２７の孔２８の上端２８´の高さよりも低く下端２８´´の高さよりも高い位置に設定されることとしたので、更に一層通した紐に対し第１の突出部２７と第２の突出部２９のいずれもが摩擦力を発生させることが可能となる。
【００６７】
また、第２の突出部２９は、上面に凹溝２９ａ´を有し、凹溝２９ａ´は、円弧状に形成されることとしたので、孔２８に通した紐を第２の突出部２９の上面に渡し易くなる。
【００６８】
なお、上部環状部２０の凹条２６の頂部は、水平方向の断面形状が僅かに凹状に形成されている。すなわち、上部環状部２０の凹条２６の頂部は、孔２８の下部と段差が形成されないように孔２８の下部と同形状に前後方向に切り欠かれて溝形状に形成されている。これにより、孔２８に紐を挿通し易くしている。
【００６９】
以上説明したように、本発明の洗濯バサミ１によれば、環状部１０は、上下方向の中間部に縊れ部４０を有するとともに、縊れ部４０を介して上下方向に連続して形成される上部環状部２０と下部環状部３０とを有し、上部環状部２０の内側に形成される上部穴部２１と下部環状部３０の内側に形成される下部穴部３１が上下方向に相互に連通し瓢箪型に形成され、下部環状部３０の下端は、分離し、上部環状部２０および下部環状部３０は、更に左片部２２，３２と右片部２３，３３を有して開閉可能に形成されるとともに、開閉の動作は、上部環状部２０の上端（上端頂部）を支点として行われ、下部環状部３０の下端は、洗濯物２００を挟む挟み部５０となることとしたので、挟み部５０の開閉や挟み部５０からの洗濯物２００の取り外しを容易に行うことができる。
【００７０】
すなわち、洗濯バサミ１は、下部環状部３０の下端を開閉可能にして挟み部５０を形成させているので、挟み部５０の狭持力を適度に設定することができ、洗濯物２００を干すときには、下部穴部３２に例えば親指と人差し指を単に挿入しその指力により指間隔を広げることで容易に挟み部５０を開放することができ、開放した挟み部５０に洗濯物２００を挿入して挟むことができる。つまり、従来の如くリング状のばね部の付勢力に抗する等の必要もなく容易に挟み部５０を開放することができる。
【００７１】
また、挟み部５０の狭持力が適度に設定されるので、洗濯物２００を取り込むときは、該洗濯物２００を単に下方に引っ張ることとしても、洗濯物２００を容易に狭持部５０からすり抜けるように取り外すことができ、洗濯物２００に与えるダメージも小さくすることができる。
【００７２】
また更に、縊れ部４０を介して上部環状部２０と下部環状部３０とを有することとしたので、下部環状部３０を開放させるときに、該開放させる力が縊れ部４０に分散して開閉動作の支点となる上部環状部２０の上端（上端頂部）にかかる負荷を低減させることができる。これにより、繰り返しの開閉による上部環状部２０の損傷を抑制することができる。
【００７３】
また、縊れ部４０に輪ゴムを巻く等することにより、狭持力を調整することも可能となる。
【００７４】
なお、本発明の洗濯バサミ１は、特許請求の範囲に記載した発明の範囲内において種々の変形実施、応用実施が可能であることは勿論である。
【００７５】
例えば、上述した実施形態にあっては、挟み部５０における一対の挟み片５１，５２の両内面５１´，５２´側の凸部および凹部を、断面三角形状の山型に形成することとしているが、図８に示す洗濯バサミ２のように、断面矩形状に形成し、更に凸部の高さを高く設定することとしてもよい。
【００７６】
また、上述した実施形態にあっては、上部環状部２０の上端に上方に突出する第１の突出部２７を有し、第１の突出部２７は、前後方向に貫通する孔２８を有することとしているが、図９に示す洗濯バサミ３のように、上部環状部２０の両縁部における突条２４，２５の上部間を連結する連結部２６ａを有するとともに、連結部２６ａと両縁部における突条２４，２５と凹部２６との間に孔２８ａが形成されることとしても所要の効果を奏する。
【００７７】
更に、上述した実施形態にあっては、挟み部５０の一対の挟み片５１，５２は、下部環状部３０の下端に固定されることとしているが、下部環状部３０の下端を中心として回動可能とすることとしてもよい。
【００７８】
更にまた、図１０、図１１に示す洗濯バサミ４のように、上部環状部２０に設けられる突条２４ａ，２５ａを大きく設定する等して、突条２４ａ，２５ａが下部環状部３０の上端まで達するようにし、突条２４ａ，２５ａが縊れ部４０を覆うこととしてもよい。このように突条２４ａ，２５ａを設けることで、縊れ部４０を補強することができ、繰り返しの開閉により縊れ部４０が損傷することを防止することができる。この場合においては、下部環状部３０は、少なくとも中間部および下部側の厚みが一定に設定されることとなり、下部環状部３０の少なくとも中間部および下部側の厚みは、上部環状部３０の突条２４ａ，２５ａにおける厚みよりも相対的に小さく設定され、より詳しくは、下部環状部３０の厚みは、凹条２６における厚みと等しく設定される。
【００７９】
また、上述した実施形態にあっては、挟み部５０は一対の挟み片５１，５２を有することとしているが、図１２に示す洗濯バサミのように分離して形成され開閉する下部環状部３０の下端を単に挟み部５０として洗濯物２００を挟むこととしても所要の効果を奏する。
【００８０】
以上のように構成された洗濯バサミ１，２，３，４は、樹脂材料で形成され、樹脂材料は、ポリカーボネートとすることができる。また、洗濯バサミ１，２，３，４は、一体に形成され、成形金型より詳しくは射出成型金型を用いて一体に形成されることができる。
【００８１】
[吊り下げ具の構成]
本実施形態の吊り下げ具１００は、上述した物品より詳しくは洗濯バサミ１，２，３，４を吊り下げるために用いられる。吊り下げ具１００は、物品より詳しくは洗濯バサミ１，２，３，４と洗濯バサミ１，２，３，４を吊り下げて保持する保持体より詳しくは洗濯紐や洗濯ハンガーとの間に介在する。吊り下げ具１００は、図１３に示すように、内側に長孔状の穴部１０１´を有する環状部１０１と、環状部１０１から該環状部１０１の内周面に接するように下方に延びる棒状部１０２と、を有している。
【００８２】
環状部１０１は、内側の長孔状に形成された穴部１０１´から外側にかけて貫通するように切り欠かれ外側と穴部１０１´を連通する連通部１０１ａを有する。連通部１０１ａは、環状部１０１の下部側に設けられ、環状部１０１を、内側の穴部１０１´から外側にかけて貫通するように斜め下方側に向かって切り欠かいてスリット状に形成される。この連通部１０１ａを介して洗濯バサミ１，２，３，４を吊り下げる洗濯紐を環状部１０１に挿通し案内することができる。穴部１０１´を長孔状とすることで挿通される洗濯紐の位置を柔軟に変更することが可能となる。
【００８３】
棒状部１０２は、上部と中間部が直線状に連続する直線部１０２ａとするとともに、下部が屈曲する屈曲部１０２ｂとなっている。屈曲部１０２ｂの先端は、先端に行くにしたがって幅寸法を漸次小さくなるようにより詳しくは漸次細くなるようにテーパ状に形成されている。より詳しくは、屈曲部１０２ｂの先端は、板状に延びる第１の爪部１０２ｂ´と第２の爪部１０２´´を上下に有し、第１の爪部１０２ｂ´の上面と第２の爪部１０２ｂ´´の下面との間隔が先端に行くに従って漸次狭くなるテーパ状に形成されている。
【００８４】
このように本実施形態の吊り下げ具１００は、内側に穴部１０１´を有する環状部１０１と、環状部１０１から下方に延びる棒状部１０２と、を有し、棒状部１０２は、上部と中間部が直線状に連続する直線部１０２ａとするとともに、下部が屈曲する屈曲部１０２ｂとすることとしたので、例えば、図１４に示すように、環状部１０１の穴部１０１´に洗濯紐を通すとともに、屈曲部１０２ｂを洗濯バサミ１，２，４の第１の突出部２７の孔２８に差し込むことができ、洗濯バサミ１，２，４を洗濯紐に容易に吊り下げることができる。
【００８５】
また、洗濯バサミ１，２，４に差し込まれる吊り下げ具１００の下部が屈曲しているので、２個の洗濯バサミ１，２，４を用いて洗濯物２００を干す場合に、外側にハの字状に広がるように傾斜する２個の洗濯バサミ１，２，４を更に外側に傾斜させることが可能となり、更に一層洗濯物２００に皺等が形成され難くすることができる。
【００８６】
また、屈曲部１０２ｂの先端は、先端に行くにしたがって漸次細くなるテーパ状に形成されることとしたので、屈曲部１０２ｂの先端を洗濯バサミ１，２，４の第１の突出部２７の孔２８に挿入し易くなる。
【００８７】
なお、図１５に示す吊り下げ具１００のように、棒状部１０２´をＪ字状のフック状に形成し、湾曲した先端部を濯バサミ１，２，４の第１の突出部２７の孔２８に差し込んで吊り下げた場合にも所要の効果を奏することとなるが、図１４に示す吊り下げ具１００の方が洗濯物２００の皺伸ばし効果が大きくなり好適である。
【００８８】
ここで、以上のように構成された吊り下げ具１００は、樹脂材料で形成され、樹脂材料は、ポリカーボネートとすることができる。また、吊り下げ具１００は、一体に形成され、成形金型より詳しくは射出成型金型を用いて一体に形成されることができる。
【００８９】
[吊り下げ具の別の例]
以下に吊り下げ具の別の例を示す。すなわち、別の例に係る吊り下げ具３００は、上述した物品より詳しくは洗濯バサミ１，２，３，４を吊り下げるために用いられる。吊り下げ具３００は、物品より詳しくは洗濯バサミ１，２，３，４と洗濯バサミ１，２，３，４を吊り下げて保持する保持体より詳しくは洗濯紐や洗濯ハンガーとの間に介在する。
【００９０】
吊り下げ具３００は、図１６に示すように、第１の吊り下げ部３１０および第２の吊り下げ部３２０を有し、第１の吊り下げ部３１０は、保持体より詳しくは洗濯紐に吊り下げられて保持され、第２の吊り下げ部３２０は、物品より詳しくは洗濯バサミ１，２，３，４を吊り下げる機能を有している。
【００９１】
第１の吊り下げ部３１０および第２の吊り下げ部３２０は、変形可能な材料で形成されており、より詳しくは弾性変形可能な材料で形成されている。弾性変形可能な材料は、弾性材料とし、より詳しくはゴム系材料、樹脂系材料、シリコン系材料、およびウレタン系形状のうち少なくともいずれかの材料を含むものとし、ウレタン系材料とする場合は、例えば熱可塑性ウレタン（ＴＰＵ）とすることができる。
【００９２】
すなわち、第１の吊り下げ部３１０は、内側に左右方向に貫通する第１の穴部３１１を有する環状体としている。第１の吊り下げ部３１０は、第１の連通部３１２を有しており、第１の連通部３１２は、外側と内側の第１の穴部３１１とを連通させ洗濯紐を外側から内側の第１の穴部３１１に所定に案内する機能を有している。第１の吊り下げ部３１０は、第１の連通部３１２を介して分離する構成となっている。つまり、第１の連通部３１２は、外側から第１の吊り下げ部３１０の内側の第１の穴部３１１にかけて所定に分離する第１の分離部３１２として機能する。
【００９３】
すなわち、第１の連通部３１２より詳しくは第１の分離部３１２（以下、単に第１の分離部３１２とする）は、スリット状となっており、そのスリット幅は１ｍｍ以下となっている。そして、第１の分離部３１２は、湾曲する曲部３１２Ｂと曲部３１２Ｂに連通し直線状に延びる直線部３１２Ａを有している。第１の分離部３１２は、曲部３１２Ｂを第１の分離部３１２の終端３１２ｂ側に有しており、直線部３１２Ａを曲部３１２Ｂの上手側つまり第１の分離部３１２の始端３１２ａ側に有している（なお、始端３１２ａ側は、分離部分の寸法が大きくなっている）。
【００９４】
また、第１の分離部３１２は、複数より詳しくは２本の棒状部材３１６，３１７間に形成されている。２本の棒状部材３１６，３１７は、所定の方向に延びて並行するようにかつ所定のスリット状の幅狭な僅かな間隔をおいて近接するように設けられている。すなわち、２本の棒状部材３１６，３１７は、湾曲する曲部３１６Ｂ，３１７Ｂと直線状に延びる直線部３１６Ａ，３１７Ａを有している。
【００９５】
２本の棒状部材３１６，３１７は、曲部３１６Ｂ，３１７Ｂを第１の分離部３１２の終端３１２ｂ側に有しており、直線部３１６Ａ，３１７Ａを上手側つまり第１の分離部３１２の始端３１２ａ側に有している。
【００９６】
より詳しくは、第１の吊り下げ部３１０は、棒状体により環状に形成されるとともに、時計回りに、立ち上がり部３１３、突出部３１４、立ち下がり部３１５、第１の下方傾斜部３１６、および第２の下方傾斜部３１７を有している。
【００９７】
すなわち、立ち上がり部３１３は、上方側に垂直状にかつ直線状に立ち上がるように形成されている。
【００９８】
突出部３１４は、立ち上がり部３１３の終端３１３ｂ側から連続して形成され上方側に突出するように略Ｕ状に湾曲して形成されている。
【００９９】
立ち下がり部３１５は、突出部３１４の終端３１４ｂ側から連続して形成され下方側に垂直状にかつ直線状に立ち下がるように形成されている。
【０１００】
第１の下方傾斜部３１６は、立ち下がり部３１５の終端３１５ｂ側から連続して形成されている。そして、第１の下方傾斜部３１６は、内側にかつ立ち上がり部３１３の始端３１３ａ側に向かって斜め下方側に直線状に延びるとともに、終端３１６ｂ側が立ち上がり部３１３の始端３１３ａ側と所定のスリット状の幅狭な僅かな間隔をおいて近接する位置まで延びて立ち上がり部３１３と分離しており、終端側３１６ｂは、自由端となっている。上述した立ち下がり部３１５と第１の下方傾斜部３１６により内側に屈曲する屈曲形状が形成されている。
【０１０１】
第２の下方傾斜部３１７は、第１の下方傾斜部３１６の更に下方側において第１の下方傾斜部３１６と所定のスリット状の幅狭な僅かな間隔をおいて近接するようにかつ並行するように延びている。第２の下方傾斜部３１７は、始端３１７ａ側が立ち上がり部３１３の始端３１３ａ側と接続して連結しかつ終端３１７ｂ側が外側にかつ第１の下方傾斜部３１６の始端３１６ａ側に向かって延びるとともに、第１の下方傾斜部３１６の始端３１６ａ側の近接する位置まで延びており、終端３１７ｂ側は、自由端となっている。
【０１０２】
つまり、第１の下方傾斜部３１６と第２の下方傾斜部３１７は、第１の分離部３１２を形成する複数の棒状部材３１６，３１７であり、第１の下方傾斜部３１６と第２の下方傾斜部３１７との所定の間隔に、第１の分離部３１２が設定されている。第１の分離部３１２は、内側に向かって斜め下方側に直線状に延びる直線部３１２Ａと湾曲する曲部３１２Ｂを有している。
【０１０３】
そして、第１の吊り下げ部３１０は、立ち上がり部３１３、突出部３１４、立ち下がり部３１５、および第１の下方傾斜部３１６に囲まれた内側を第１の穴部３１１とし、第１の穴部３１１は、上下方向に長尺な長孔状としている。第１の穴部３１１を長孔状とすることで挿通される洗濯紐の位置を柔軟に変更することが可能となる。
【０１０４】
そして更に、第１の下方傾斜部３１６は、終端３１６ｂ側の端面が湾曲し下方側より詳しくは斜め下方側に突出する曲面３１６´としており、また、第２の下方傾斜部３１７は、第１の下方傾斜部３１６の終端３１６ｂに対応する部位の形状が曲面に沿って下方側に突出する曲形状としており、第１の分離部３１２は、終端３１２ｂ側に曲面３１６´に沿って下方側に突出した部分を有している。
【０１０５】
第２の吊り下げ部３２０は、内側に第２の穴部３２０ａを有するフック状体としている。第２の吊り下げ部３２０は、第１の吊り下げ部３１０の下端より詳しくは第１の吊り下げ部３１０の立ち上がり部３１３の始端３１３ａから下方側に連続して設けられるとともに、第２の吊り下げ部３２０の終端３２０ｂ側は、第１の吊り下げ部３１０と所定のスリット状の幅狭な僅かな間隔をおいて近接するようにかつ分離するように設けられている。
【０１０６】
すなわち、第２の吊り下げ部３２０の終端３２０ｂ側と第１の吊り下げ部３１０との間に形成される所定の間隔は、外側と第２の吊り下げ部３２０の内側の第２の穴部３２０ａ（第２の吊り下げ部３２０の内側の第２の穴部３２０ａは、左右に貫通している）とを連通させ物品を外側から第２の吊り下げ部３２０の内側の第２の穴部３２０ａに所定に案内する第２の連通部３２１としており、第２の吊り下げ部３２０は、第２の連通部３２１を介して第１の吊り下げ部３１０と分離している。
【０１０７】
第２の連通部３２１は、スリット状となっており、そのスリット幅は１ｍｍ以下となっている。つまり、第２の連通部３２１は、第２の吊り下げ部３２０の後述する立ち上がり部３２５の終端３２５ｂ側に設定され、第１の吊り下げ部３１０の第２の下方傾斜部３１７の終端３１７ｂ側と所定に分離する第２の分離部３２１として機能する（以下、第２の連通部３２１は、第２の分離部３２１とする）。
【０１０８】
第２の吊り下げ部３２０は、棒状体により略Ｕ字状のフック状に形成されるとともに、反時計回りに、立ち下がり部３２２、下方傾斜部３２３、突出部３２４、および立ち上がり部３２５を有している。
【０１０９】
すなわち、立ち下がり部３２２は、始端３２２ａ側を第１の吊り下げ部３１０の立ち上がり部３１３の始端３１３ａ側と連続して形成され下方側に垂直状にかつ直線状に立ち下がるように延びている。立ち下がり部３２２は、第１の吊り下げ部３１０の立ち上がり部３１３と同軸上に形成されている。
【０１１０】
下方傾斜部３２３は、立ち下がり部３２２の終端３２２ｂ側から連続して形成され内側に向かって斜め下方側に直線状に延びるように形成されている。下方傾斜部３２３と上述した立ち下がり部３２２により内側に屈曲する屈曲形状が形成されている。
【０１１１】
突出部３２４は、下方傾斜部３２３の終端３２３ｂ側から連続して形成され下方側に突出するように略Ｕ状に湾曲して形成されている。
【０１１２】
立ち上がり部３２５は、突出部３２４の終端３２４ｂ側から連続して形成されている。立ち上がり部３２５は、第１の吊り下げ部３１０の第２の下方傾斜部３１７の終端３１７ｂ側に向かって立ち上がるように形成されるとともに、上方側に垂直状にかつ直線状に立ち上がるように形成されている。立ち上がり部３２５の終端３２５ｂ側は、第１の吊り下げ部３１０の第２の下方傾斜部３１７の終端３１７ｂ側と所定のスリット状の幅狭な僅かな間隔をおいて近接する位置まで延びて第２の下方傾斜部３１７と分離しており、立ち上がり部３２５の終端３２５ｂ側は、自由端となっている（なお、第２の分離部３２１の入り口側（立ち上がり部３２５の先端側）は、分離部分の寸法が大きくなっている）。
立ち上がり部３２５は、第１の吊り下げ部３１０の立ち下がり部３１５と同軸上に形成されている。すなわち、第１の吊り下げ部３１０および第２の吊り下げ部３２０は前後方向の幅寸法を同寸法としている。
【０１１３】
第２の吊り下げ部３２０の立ち上がり部３２５の終端３２５ｂ側は、先端側に行くにしたがって幅寸法を漸次小さくなるように形成されており、尖がった形状となっている。また、第２の吊り下げ部３２０の立ち上がり部３２５の終端３２５ｂ側は、外側から内側の第２の穴部３２０ａに向かって直線状に下降するように傾斜する傾斜面となっている。
ここで、立ち下がり部３２５、下方傾斜部３２３、突出部３２４、および立ち上がり部３２５に囲まれた内側を第２の穴部３２０ａとし、第２の穴部３２０ａは、上下方向に長尺な長孔状としている。第２の穴部３２０ａを長孔状とすることで差し込まれる洗濯バサミ１，２，４の位置を柔軟に変更することが可能となる。
【０１１４】
このように形成された吊り下げ具３００は、図１７に示すように、第２の吊り下げ部３２０を洗濯バサミ１，２，４の第１の突出部２７の孔２８に差し込みつつ、第１の吊り下げ部３１０に洗濯紐を挿通することにより洗濯バサミ１，２，４を吊り下げることができる。
【０１１５】
すなわち、吊り下げ具３００は、変形可能としているので、図１８に示すように、第１の吊り下げ部３１０の第１の下方傾斜部３１６および第２の吊り下げ部３２０の立ち上がり部３２５を左右方向に屈曲させる等変形させることができる。
【０１１６】
これにより、第１の分離部３１２および第２の分離部３２１をスリット状とすることとしても分離部３１２，３２１の間隔を広げるように変形させることができ、洗濯紐や洗濯バサミ１，２，４の孔２８を分離部３１２，３２１を介して容易に挿通させ第１の穴部３１１や第２の吊り下げ部３２０の内側の第２の穴部３２０ａに案内することができる。
【０１１７】
しかも変形は、弾性変形とすることとしたので、変形させた場合にあっても分離部３１２，３２１をスリット状の元の形状に容易に戻すことができ、洗濯紐や洗濯物２００を外れ難くすることができる。
【０１１８】
また、第１の分離部３１２は、湾曲する曲部３１２Ｂを終端３１２ｂ側に有することとしたので、第１の吊り下げ部３１０の第１の穴部３１１に案内した洗濯紐を更に外れ難くすることができる。
【０１１９】
なお、第１の吊り下げ部３１０の第１の分離部３１２の長手方向の長さ寸法すなわち外側から内側に向かう方向の長さ寸法は、第２の吊り下げ部３２０の第２の分離部３２１の外側から内側に向かう長手方向の長さ寸法よりも長くすることとしている。すなわち、第１の吊り下げ部３１０側は吊り下げの支点側となり風等で揺れる際には大きな負荷がかかるが、第１の分離部３１２から外れる際の負荷を相対的に大きく設定することにより第１の吊り下げ部３１０から洗濯紐が外れることを少なくすることができる。
【０１２０】
ここで、第２の吊り下げ部３２０の洗濯バサミ１，２，４の孔２８への差し込みは、立ち上がり部３２５の終端３２５ｂ（立ち上がり部３２５の先端）から差し込んで下方傾斜部３２３に達する位置まで行う。
【０１２１】
このように、下方傾斜部３２３に達する位置まで差し込むことで、図１７に示すように、洗濯バサミ１，２，４が下方傾斜部３２３に対し略直交するように吊り下げられつつ、重心の関係から洗濯バサミが１，２，４が鉛直方向に対し傾斜するように吊り下げられる。このため、風等による洗濯バサミ１，２，４の揺れを小さくすることができ、その揺れの時間も少なくすることができ、洗濯物２００が洗濯バサミ１，２，４から外れる不具合を少なくすることができる。
【０１２２】
また、２個の洗濯バサミ１，２，４を用いて洗濯物２００を干す場合に、外側にハの字状に広がるように傾斜する２個の洗濯バサミ１，２，４を更に外側に傾斜させることが可能となり、更に一層洗濯物２００に皺等が形成され難くすることができる。
【０１２３】
また、立ち上がり部３２５の終端３２５ｂ側は、先端側に行くにしたがって幅寸法を漸次狭くなるように形成され、尖がった形状とすることとしたので、洗濯バサミ１，２，４の第１の突出部２７の孔２８を更に差し込み易くすることができる。
【０１２４】
なお、吊り下げ具３００の第２の吊り下げ部３２０を図１９に示すように下方傾斜部３２３を省略した構成とすることとしても所要の効果を奏することができる。
【０１２５】
すなわち、図１９に示す吊り下げ具３００´の第２の吊り下げ部３２０´は、棒状体により略Ｕ字状のフック状に形成されるとともに、反時計回りに、立ち下がり部３２２、突出部３２４´、および立ち上がり部３２５を有し、立ち下がり部３２２および立ち上がり部３２５は上述した吊り下げ具３００と同様の構成とし突出部３２４´を異なる構成としている。
【０１２６】
すなわち、立ち下がり部３２２は、始端３２２ａ側を第１の吊り下げ部３１０の立ち上がり部３１３の始端３１３ａ側と連続して形成され下方側に垂直状にかつ直線状に立ち下がるように延びている。立ち下がり部３２２は、第１の吊り下げ部３１０の立ち上がり部３１３と同軸上に形成されている。
【０１２７】
突出部３２４´は、下方傾斜部３２３を介することなく立ち下がり部３２２の終端３２２ｂ側から連続して形成され下方側に突出するように略Ｕ状に湾曲して形成されており、その終端３２４ｂ´側は立ち上がり部３２５と連続して形成されている。
【０１２８】
立ち上がり部３２５は、突出部３２４の終端３２４ｂ側から連続して形成されている。立ち上がり部３２５は、第１の吊り下げ部３１０の第２の下方傾斜部３１７の終端３１７ｂ側に向かって立ち上がるように形成されるとともに、上方側に垂直状にかつ直線状に立ち上がるように形成されている。立ち上がり部３２５の終端３２５ｂ側は、第１の吊り下げ部３１０の第２の下方傾斜部３１７の終端３１７ｂ側と所定のスリット状の幅狭な僅かな間隔をおいて近接する位置まで延びて第２の下方傾斜部３１７と分離しており、立ち上がり部３２５の終端３２５ｂ側は、自由端となっている。立ち上がり部３２５は、第１の吊り下げ部３１０の立ち下がり部３１５と同軸上に形成されている。すなわち、第１の吊り下げ部３１０および第２の吊り下げ部３２０は前後方向の幅寸法を同寸法としている。
【０１２９】
このように吊り下げ具３００´を構成することで、洗濯紐、吊り下げ具３００´、洗濯バサミ１，２，４の中心を鉛直線上に並ぶように吊り下げることができる。
【０１３０】
なお、吊り下げ具３００´においても、立ち下がり部３２３、突出部３２４´、および立ち上がり部３２５に囲まれた内側を第２の穴部３２０ａ´とし、第２の穴部３２０ａ´は、上下方向に長尺な長孔状としている。
【０１３１】
以上、上述した吊り下げ具３００、３００´においては、吊り下げる物品を洗濯バサミ１，２，３，４とすることとしているが、これに限定されない。すなわち、洗濯バサミ１，２，３，４に限らず鍵、キーホルダー、携帯電話機、スマートフォン等吊り下げ具３００，３００´により吊り下げ可能な各種の物品の吊り下げに用いることとしてもよい。
【産業上の利用可能性】
【０１３２】
本発明は、変形可能な吊り下げ具を提供し、雑貨・日用品の業界の発展に大きく貢献する。
【符号の説明】
【０１３３】
Ａ：下部環状部の上下方向の長さの上部環状部の上下方向の長さに対する比
ＬＬ：下部環状部の上下方向の長さ
ＬＵ：上部環状部の上下方向の長さ
Ｂ：下部環状部の曲率半径の上部環状部の曲率半径に対する比
ＲＬ：下部環状部の曲率半径
ＲＵ：上部環状部の曲率半径
Ｃ：下部環状部の下部側の曲率半径の上部側の曲率半径に対する比
ＲＬＬ：下部環状部の下部側の曲率半径
ＲＬＵ：下部環状部の上部側の曲率半径
Ｄ：厚み寸法の奥行き方向の幅寸法に対する比
Ｘ：厚み寸法
Ｙ：奥行き方向の幅寸法
Ｅ：位置
Ｗ´：幅方向の長さ寸法
１，２，３，４：洗濯バサミ
１０：環状部
２０：上部環状部
２０´：上端
２１：上部穴部
２２：左片部
２３：右片部
２４，２５：突条
２４ａ，２５ａ：突条
２６：凹条
２６ａ：連結部
２７：第１の突出部
２８：孔
２８ａ：孔
２８´：上端
２８´´：下端
２９：第２の突出部
２９´：上端
２９ａ´：凹溝
３０：下部環状部
３０ａ：上部
３０ｂ：下部
３１：下部穴部
３２：左片部
３３：右片部
４０：縊れ部
５０：挟み部
５１，５２：挟み片
５１´，５２´：内面
５１ａ，５２ａ：下部突出部
５１ｂ，５２ｂ：上部突出部
１００：吊り下げ具
１０１：環状部
１０１：切り欠き
１０１´：穴部
１０２：棒状部
１０２´：棒状部
１０２ａ：直線部
１０２ｂ：屈曲部
１０２ｂ´：第１の爪部
１０２ｂ´´：第２の爪部
２００：洗濯物
３００：吊り下げ具の別の例
３００´：吊り下げ具の更に別の例
３１０：第１の吊り下げ部
３１０´：下端
３１１：第１の穴部
３１２：第１の分離部（第１の分離部）
３１２Ａ：直線部（下方傾斜連通部）
３１２Ｂ：曲部（曲連通部）
３１２ａ：始端
３１２ｂ：終端
３１３：立ち上がり部
３１３：始端
３１３ｂ：終端
３１４：突出部
３１４ｂ：終端
３１５：立ち下がり部
３１５ｂ：終端
３１６：棒状部材（第１の下方傾斜部）
３１６´：曲面
３１６Ａ：直線部
３１６Ｂ：曲部
３１６ｂ：終端
３１６ｂ´：曲部
３１７：棒状部材（第２の下方傾斜部）
３１７Ａ：直線部
３１７Ｂ：曲部
３１７ａ：始端
３１７ｂ：終端
３２０：吊り下げ部
３２０´：第２の吊り下げ部
３２０ａ：第２の穴部
３２０ａ´：第２の穴部
３２０ｂ：終端
３２１：第２の連通部（第２の分離部）
３２２：立ち下がり部
３２２ａ：始端
３２２ｂ：終端
３２３：下方傾斜部
３２３ｂ：終端
３２４：突出部
３２４´：突出部
３２４ｂ：終端
３２４ｂ´：終端
３２５：立ち上がり部
３２５ｂ：終端
【図１】
2019198622.tif 000003
【図２】
2019198622.tif 000004
【図３】
2019198622.tif 000005
【図４】
2019198622.tif 000006
【図５】
2019198622.tif 000007
【図６】
2019198622.tif 000008
【図７】
2019198622.tif 000009
【図８】
2019198622.tif 000010
【図９】
2019198622.tif 000011
【図１０】
2019198622.tif 000012
【図１１】
2019198622.tif 000013
【図１２】
2019198622.tif 000014
【図１３】
2019198622.tif 000015
【図１４】
2019198622.tif 000016
【図１５】
2019198622.tif 000017
【図１６】
2019198622.tif 000018
【図１７】
2019198622.tif 000019
【図１８】
2019198622.tif 000020
【図１９】
2019198622.tif 000021
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
物品を吊り下げるために用いられる吊り下げ具であって、
第１の吊り下げ部を有し、前記第１の吊り下げ部は、変形可能とするとともに、内側に第１の穴部を有する環状体とし、外側から前記内側の第１の穴部にかけて所定に分離する第１の分離部を有し、
更に、第２の吊り下げ部を有し、前記第２の吊り下げ部は、変形可能とするとともに、内側に第２の穴部を有するフック状体とし、前記第１の吊り下げ部から下方側に連続して設けられ、前記第２の吊り下げ部の終端側は、前記第１の吊り下げ部と所定に分離する第２の分離部とし、
前記第１の吊り下げ部は、上方側に立ち上がる立ち上がり部と、前記立ち上がり部の終端側から連続し上方側に突出する突出部と、前記突出部の終端側から連続し下方側に立ち下がる立ち下がり部と、前記立ち下がり部の終端側から連続し内側にかつ前記立ち上がり部の始端側に向かって斜め下方側に延びるとともに、終端側が自由端となる第１の下方傾斜部と、前記第１の下方傾斜部の更に下方側において前記第１の下方傾斜部と並行するように延びて始端側が前記立ち上がり部の始端側と接続しかつ終端側が前記第１の下方傾斜部の始端側に向かって延びて自由端となる第２の下方傾斜部と、を有し、前記第１の下方傾斜部と前記第２の下方傾斜部は、前記第１の分離部を形成する複数の部材とすることを特徴とする吊り下げ具。
【請求項２】
前記立ち上がり部、前記突出部、前記立ち下がり部、および前記第１の下方傾斜部に囲まれた内側を前記第１の穴部とし、前記第１の穴部は、長孔状とすることを特徴とする請求項１に記載の吊り下げ具。
【請求項３】
前記第２の吊り下げ部は、フック状に形成されるとともに、始端側を前記第１の吊り下げ部の立ち上がり部の始端側と連続し下方側に立ち下がるように延びる立ち下がり部と、前記立ち下がり部の終端側から連続し吊り下げ具の外側に向かって斜め下方側に直線状に延びる下方傾斜部と、前記下方傾斜部の終端側から連続し下方側に突出するように形成される突出部と、前記突出部の終端側から連続し上方側にかつ前記第１の吊り下げ部の第２の下方傾斜部の終端側に向かって立ち上がる立ち上がり部と、を有し、前記立ち上がり部の終端側は、自由端となり、前記第１の吊り下げ部の第２の下方傾斜部の終端側と所定に分離する前記第２の分離部とすることを特徴とする請求項１または請求項２に記載の吊り下げ具。
【請求項４】
前記立ち下がり部、前記下方傾斜部、前記突出部、および前記立ち上がり部に囲まれた内側の第２の穴部を長孔状とすることを特徴とする請求項３に記載の吊り下げ具。
【請求項５】
前記第２の吊り下げ部は、フック状に形成されるとともに、始端側を前記第１の吊り下げ部の立ち上がり部の始端側と連続し下方側に立ち下がるように延びる立ち下がり部と、前記立ち下がり部の終端側から連続し下方側に突出するように形成される突出部と、前記突出部の終端側から連続し上方側にかつ前記第１の吊り下げ部の第２の下方傾斜部の終端側に向かって立ち上がる立ち上がり部と、を有し、前記立ち上がり部の終端側は、自由端となり、前記第１の吊り下げ部の第２の下方傾斜部の終端側と所定に分離する前記第２の分離部とすることを特徴とする請求項１または請求項２に記載の吊り下げ具。
【請求項６】
前記立ち下がり部、前記突出部、および前記立ち上がり部に囲まれた内側の第２の穴部を長孔状とすることを特徴とする請求項５に記載の吊り下げ具。